【手続補正書】
【提出日】平成18年1月24日(2006.1.24)
【手続補正１】
【補正対象書類名】明細書
【補正対象項目名】発明の名称
【補正方法】変更
【補正の内容】
【発明の名称】表示制御装置、表示制御方法、記録媒体、並びにプログラム
【手続補正２】
【補正対象書類名】明細書
【補正対象項目名】特許請求の範囲
【補正方法】変更
【補正の内容】
【特許請求の範囲】
【請求項１】
画面上にアイコンを表示させる表示制御装置であって、
所定のプログラムの現在の状態を検出する検出手段と、
前記所定のプログラムに対応するアイコンを表示するアイコン表示手段と、
検出された前記所定のプログラムの現在の状態に応じて、前記所定のプログラムに対応するアイコンをアニメーション表示させる制御手段と
を含むことを特徴とする表示制御装置。
【請求項２】
前記制御手段は、前記所定のプログラムの現在の状態に対応付けられた形態の異なる複数のアイコンを切り替えて表示させることにより、アニメーション表示させる
ことを特徴とする請求項１に記載の表示制御装置。
【請求項３】
画面上にアイコンを表示させる表示制御方法であって、
所定のプログラムの現在の状態を検出する検出ステップと、
検出された前記所定のプログラムの現在の状態に応じて、前記所定のプログラムに対応するアイコンをアニメーション表示させる制御ステップと
を含むことを特徴とする表示制御方法。
【請求項４】
画面上にアイコンを表示させる表示制御を、コンピュータに行わせるためのコンピュータプログラムを記録する記録媒体であって、
所定のプログラムの現在の状態を検出する検出ステップと、
検出された前記所定のプログラムの現在の状態に応じて、前記所定のプログラムに対応するアイコンをアニメーション表示させる制御ステップと
を前記コンピュータに行わせるためのコンピュータプログラムを記録する
ことを特徴とする記録媒体。
【請求項５】
画面上にアイコンを表示させる表示制御を、コンピュータに行わせるプログラムであって、
所定のプログラムの現在の状態を検出する検出ステップと、
検出された前記所定のプログラムの現在の状態に応じて、前記所定のプログラムに対応するアイコンをアニメーション表示させる制御ステップと
を含むことを特徴とするプログラム。
【請求項６】  画面上にアイコンを表示させる表示制御装置であって、
所定のプログラムの実行状態を検出する検出手段と、
前記所定のプログラムの実行状態に対応したアニメーションで、前記所定のプログラムに対応するアイコンを表示させる制御手段と
を含むことを特徴とする表示制御装置。
【請求項７】  前記アイコンは、前記画面上の、起動しているプログラムに対応するアイコンを表示する領域に表示されるものである
ことを特徴とする請求項６に記載の表示制御装置。
【請求項８】  前記所定のプログラムは、所定のスクリプトを解釈して実行するインタプリタである
ことを特徴とする請求項６に記載の表示制御装置。
【請求項９】  前記スクリプトは、所定の処理手順を指示する記述で構成される
ことを特徴とする請求項８に記載の表示制御装置。
【請求項１０】  画面上にアイコンを表示させる表示制御方法であって、
所定のプログラムの実行状態を検出する検出ステップと、
前記所定のプログラムの実行状態に対応したアニメーションで、前記所定のプログラムに対応するアイコンを表示させる制御ステップと
を含むことを特徴とする表示制御方法。
【請求項１１】  画面上にアイコンを表示させる表示制御を、コンピュータに行わせるためのコンピュータプログラムを記録する記録媒体であって、
所定のプログラムの実行状態を検出する検出ステップと、
前記所定のプログラムの実行状態に対応したアニメーションで、前記所定のプログラムに対応するアイコンを表示させる制御ステップと
を含む前記コンピュータに行わせるためのコンピュータプログラムを記録する
ことを特徴とする記録媒体。
【手続補正３】
【補正対象書類名】明細書
【補正対象項目名】０００１
【補正方法】変更
【補正の内容】
【０００１】
【発明の属する技術分野】
本発明は、表示制御装置、表示制御方法、記録媒体、並びにプログラムに関し、特に、ユーザが、プログラムの実行状態を、容易に認識することができるようにする表示制御装置、表示制御方法、記録媒体、並びにプログラムに関する。
【手続補正４】
【補正対象書類名】明細書
【補正対象項目名】００２０
【補正方法】変更
【補正の内容】
【００２０】
【課題を解決するための手段】
本発明の第１の表示制御装置は、所定のプログラムの現在の状態を検出する検出手段と、所定のプログラムに対応するアイコンを表示するアイコン表示手段と、検出された所定のプログラムの現在の状態に応じて、所定のプログラムに対応するアイコンをアニメーション表示させる制御手段とを含むことを特徴とする。
本発明の第１の表示制御方法は、所定のプログラムの現在の状態を検出する検出ステップと、検出された所定のプログラムの現在の状態に応じて、所定のプログラムに対応するアイコンをアニメーション表示させる制御ステップとを含むことを特徴とする。
本発明の第１の記録媒体は、所定のプログラムの現在の状態を検出する検出ステップと、検出された所定のプログラムの現在の状態に応じて、所定のプログラムに対応するアイコンをアニメーション表示させる制御ステップとを含むコンピュータプログラムを記録することを特徴とする。
本発明のプログラムは、所定のプログラムの現在の状態を検出する検出ステップと、検出された所定のプログラムの現在の状態に応じて、所定のプログラムに対応するアイコンをアニメーション表示させる制御ステップとを含むことを特徴とする。
本発明の第２の表示制御装置は、所定のプログラムの実行状態を検出する検出手段と、所定のプログラムの実行状態に対応したアニメーションで、所定のプログラムに対応するアイコンを表示させる制御手段とを含むことを特徴とする。
【手続補正５】
【補正対象書類名】明細書
【補正対象項目名】００２１
【補正方法】変更
【補正の内容】
【００２１】
本発明の第２の表示制御方法は、所定のプログラムの実行状態を検出する検出ステップと、所定のプログラムの実行状態に対応したアニメーションで、所定のプログラムに対応するアイコンを表示させる制御ステップとを含むことを特徴とする。
【手続補正６】
【補正対象書類名】明細書
【補正対象項目名】００２２
【補正方法】変更
【補正の内容】
【００２２】
本発明の第２の記録媒体は、所定のプログラムの実行状態を検出する検出ステップと、所定のプログラムの実行状態に対応したアニメーションで、所定のプログラムに対応するアイコンを表示させる制御ステップとを含むコンピュータプログラムを記録することを特徴とする。
【手続補正７】
【補正対象書類名】明細書
【補正対象項目名】００２３
【補正方法】変更
【補正の内容】
【００２３】
本発明の第１の表示制御装置、表示制御方法、および記録媒体、並びにプログラムおいては、所定のプログラムの現在の状態が検出され、その現在の状態に応じて、所定のプログラムに対応するアイコンがアニメーション表示される。
本発明の第２の表示制御装置、表示制御方法、および記録媒体においては、所定のプログラムの実行状態が検出され、その実行状態に対応したアニメーションで、所定のプログラムに対応するアイコンが表示される。
【手続補正８】
【補正対象書類名】明細書
【補正対象項目名】０１３２
【補正方法】変更
【補正の内容】
【０１３２】
【発明の効果】
以上の如く、本発明によれば、所定のプログラムの実行状態が検出され、その実行状態に対応したアニメーションで、所定のプログラムに対応するアイコンが表示される。従って、ユーザが、プログラムの実行状態を、容易に認識することが可能となる。